(57)【要約】      （修正有）【課題】ビームトラッキングが提供される環境下においてビームの品質を評価することが可能な仕組みを提供する。【解決手段】端末装置２００は、ビームを形成して通信する基地局と通信する無線通信部２２０と、基地局からビームを用いて送信されたダウンリンク信号を受信することによって、ダウンリンク信号の送信に用いられたビームの方向に関する品質を示す品質情報を取得する制御部２４０と、を備える。【選択図】図１０
2018019345.tif 000002
【特許請求の範囲】
【請求項１】
ビームを形成して通信する基地局と通信する通信部と、
前記基地局からビームを用いて送信されたダウンリンク信号を受信することによって、前記ダウンリンク信号の送信に用いられたビームの方向に関する品質を示す品質情報を取得する制御部と、
を備える端末装置。
【請求項２】
前記ダウンリンク信号は、リファレンス信号である、請求項１に記載の端末装置。
【請求項３】
前記制御部は、ビームの前記品質情報とリソースとを対応付けた設定情報に基づいて、前記リファレンス信号の受信に用いたリソースに対応する前記品質情報を、前記リファレンス信号の送信に用いられたビームの前記品質情報として取得する、請求項２に記載の端末装置。
【請求項４】
前記制御部は、前記品質情報に基づいて接続候補の基地局を選択する、請求項２に記載の端末装置。
【請求項５】
前記制御部は、前記リファレンス信号の受信電力を示す情報の差分が閾値未満である複数の基地局を対象として、前記品質情報に基づいて接続候補の基地局を選択する、請求項４に記載の端末装置。
【請求項６】
前記制御部は、前記品質情報に関するメジャメントレポートトリガに基づいてメジャメントレポートを送信し、
前記メジャメントレポートトリガは、接続中の基地局より前記品質情報が良い接続候補の基地局が存在することである、請求項４に記載の端末装置。
【請求項７】
前記制御部は、前記品質情報に関するメジャメントレポートトリガに基づいてメジャメントレポートを送信し、
前記メジャメントレポートトリガは、接続中の基地局との前記リファレンス信号の受信電力を示す情報の差分が閾値未満であり、前記接続中の基地局より前記品質情報が良い接続候補の基地局が存在することである、請求項５に記載の端末装置。
【請求項８】
前記メジャメントレポートは、接続中の基地局及び接続候補の基地局の前記品質情報を含む、請求項６に記載の端末装置。
【請求項９】
前記制御部は、セルの規模が同等の基地局間でのみ、前記品質情報に基づいて接続候補の基地局を選択する、請求項４に記載の端末装置。
【請求項１０】
ビームを形成して端末装置と通信する通信部と、
ビームの方向に関する品質を示す品質情報を前記端末装置に取得させるための設定情報、及び前記品質情報を前記端末装置に通知する制御部と、
を備える基地局。
【請求項１１】
前記制御部は、ビームを用いて且つ当該ビームの前記品質情報に対応付けられたリソースを用いてリファレンス信号を送信することで、前記品質情報を前記端末装置に通知する、請求項１０に記載の基地局。
【請求項１２】
前記設定情報は、前記品質情報に対応するリソースを示す情報を含む、請求項１１に記載の基地局。
【請求項１３】
前記リファレンス信号の送信に用いられるリソースは、異なる品質情報が対応付けられたリソース同士で直交する、請求項１１に記載の基地局。
【請求項１４】
前記制御部は、前記端末装置が受信した前記リファレンス信号の前記品質情報を含むメジャメントレポートに基づいて、前記端末装置に関するハンドオーバ決定を行う、請求項１１に記載の基地局。
【請求項１５】
前記品質情報は、ビームの方向と基準方向とが成す角度に応じて設定される、請求項１０に記載の基地局。
【請求項１６】
前記品質情報は、ビームがセルエッジに向く度合いに応じて設定される、請求項１０に記載の基地局。
【請求項１７】
ビームを形成して通信する基地局と通信することと、
前記基地局からビームを用いて送信されたダウンリンク信号を受信することによって、前記ダウンリンク信号の送信に用いられたビームの方向に関する品質を示す品質情報をプロセッサにより取得することと、
を含む方法。
【請求項１８】
ビームを形成して端末装置と通信することと、
ビームの方向に関する品質を示す品質情報を前記端末装置に取得させるための設定情報、及び前記品質情報をプロセッサにより前記端末装置に通知することと、
を含む方法。
【請求項１９】
コンピュータを、
ビームを形成して通信する基地局と通信する通信部と、
前記基地局からビームを用いて送信されたダウンリンク信号を受信することによって、前記ダウンリンク信号の送信に用いられたビームの方向に関する品質を示す品質情報を取得する制御部と、
として機能させるためのプログラムを記録した記録媒体。
【請求項２０】
コンピュータを、
ビームを形成して端末装置と通信する通信部と、
ビームの方向に関する品質を示す品質情報を前記端末装置に取得させるための設定情報、及び前記品質情報を前記端末装置に通知する制御部と、
として機能させるためのプログラムを記録した記録媒体。
【発明の詳細な説明】
【技術分野】
【０００１】
本開示は、端末装置、基地局、方法及び記録媒体に関する。
【背景技術】
【０００２】
近年、３ＧＰＰ（Third  Generation  Partnership  Project）において、次世代の通信規格である５Ｇについて議論されている。５Ｇを構成する通信技術は、ＮＲ（New  Radio  Access  Technology）とも称される。
【０００３】
３ＧＰＰリリース１４のスタディアイテムのひとつに、ＮＲ用のＭＩＭＯ（multiple-input  and  multiple-output）がある。ＭＩＭＯとは、複数のアンテナを利用してビームフォーミングを行う技術であり、３次元方向にビームフォーミング可能な３Ｄ（又はFull  Dimension）−ＭＩＭＯ、多数のアンテナを利用するＭａｓｓｉｖｅ−ＭＩＭＯ等がある。ＭＩＭＯにおいては、ユーザ端末に適切なビームを継続的に提供する、ビームトラッキング技術の精度向上が求められている。
【０００４】
例えば、下記特許文献１に、ビームフォーミングに関して、ユーザ装置からのフィードバック情報に基づいて、ユーザ装置のためのビームを決定する技術が開示されている。
【先行技術文献】
【特許文献】
【０００５】
【特許文献１】特開２０１５−１６４２８１号公報
【発明の概要】
【発明が解決しようとする課題】
【０００６】
しかし、上記特許文献等で提案されているビームトラッキングに関する技術は、未だ議論の途中であり、十分な提案がなされているとは言い難い。例えば、ビームトラッキングが提供される環境下においてビームの品質を評価するための技術も、十分に提案されていないもののひとつである。
【課題を解決するための手段】
【０００７】
本開示によれば、ビームを形成して通信する基地局と通信する通信部と、前記基地局からビームを用いて送信されたダウンリンク信号を受信することによって、前記ダウンリンク信号の送信に用いられたビームの方向に関する品質を示す品質情報を取得する制御部と、を備える端末装置が提供される。
【０００８】
また、本開示によれば、ビームを形成して端末装置と通信する通信部と、ビームの方向に関する品質を示す品質情報を前記端末装置に取得させるための設定情報、及び前記品質情報を前記端末装置に通知する制御部と、を備える基地局が提供される。
【０００９】
また、本開示によれば、ビームを形成して通信する基地局と通信することと、前記基地局からビームを用いて送信されたダウンリンク信号を受信することによって、前記ダウンリンク信号の送信に用いられたビームの方向に関する品質を示す品質情報をプロセッサにより取得することと、を含む方法が提供される。
【００１０】
また、本開示によれば、ビームを形成して端末装置と通信することと、ビームの方向に関する品質を示す品質情報を前記端末装置に取得させるための設定情報、及び前記品質情報をプロセッサにより前記端末装置に通知することと、を含む方法が提供される。
【００１１】
また、本開示によれば、コンピュータを、ビームを形成して通信する基地局と通信する通信部と、前記基地局からビームを用いて送信されたダウンリンク信号を受信することによって、前記ダウンリンク信号の送信に用いられたビームの方向に関する品質を示す品質情報を取得する制御部と、として機能させるためのプログラムを記録した記録媒体が提供される。
【００１２】
また、本開示によれば、コンピュータを、ビームを形成して端末装置と通信する通信部と、ビームの方向に関する品質を示す品質情報を前記端末装置に取得させるための設定情報、及び前記品質情報を前記端末装置に通知する制御部と、として機能させるためのプログラムを記録した記録媒体が提供される。
【発明の効果】
【００１３】
以上説明したように本開示によれば、ビームトラッキングが提供される環境下においてビームの品質を評価することが可能な仕組みが提供される。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１４】
【図１】本開示の一実施形態に係るシステムの構成の一例を説明するための図である。
【図２】ビームトラッキングに関する考察を説明するための図である。
【図３】ビームフォームドＣＳＩ−ＲＳに基づくビームトラッキング手続きの流れの一例を示すシーケンス図である。
【図４】ＳＲＳに基づくビームトラッキング手続きの流れの一例を示すシーケンス図である。
【図５】ＬＴＥにおけるＳＲＳのフォーマットの一例を説明するための図である。
【図６】ＬＴＥにおける狭帯域のＳＲＳを説明するための図である。
【図７】ＳＲＳ及びビームフォームドＣＳＩ−ＲＳを用いたビーム選択を説明するための図である。
【図８】ＳＲＳ及びビームフォームドＣＳＩ−ＲＳを用いたビーム選択を説明するための図である。
【図９】本実施形態に係る基地局の構成の一例を示すブロック図である。
【図１０】本実施形態に係る端末装置の構成の一例を示すブロック図である。
【図１１】第１の実施形態に係るＢＱＩの一例を説明するための図である。
【図１２】本実施形態に係るＢＱＩの一例を説明するための図である。
【図１３】本実施形態に係るＢＱＩの一例を説明するための図である。
【図１４】本実施形態に係るＢＱＩの通知方法を説明するための図である。
【図１５】本実施形態に係るＢＱＩとリソースとの対応関係の一例を示す図である。
【図１６】本実施形態に係るＢＱＩとリソースとの対応関係の一例を示す図である。
【図１７】本実施形態に係るＢＱＩとリソースとの対応関係の一例を示す図である。
【図１８】本実施形態に係るシステムにおいて実行されるＲＲＣ接続状態のＵＥのハンドオーバ処理の流れの一例を示すシーケンス図である。
【図１９】本実施形態に係るシステムにおいて実行されるＲＲＣアイドル状態のＵＥのセル選択処理の流れの一例を示すシーケンス図である。
【図２０】第２の実施形態に係る技術的課題を説明するための図である。
【図２１】本実施形態に係る技術的課題を説明するための図である。
【図２２】本実施形態に係るＵＥにおいて実行される接続候補の選択処理の流れの一例を示すフローチャートである。
【図２３】ｅＮＢの概略的な構成の第１の例を示すブロック図である。
【図２４】ｅＮＢの概略的な構成の第２の例を示すブロック図である。
【図２５】スマートフォンの概略的な構成の一例を示すブロック図である。
【図２６】カーナビゲーション装置の概略的な構成の一例を示すブロック図である。
【発明を実施するための形態】
【００１５】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１６】
また、本明細書及び図面において、実質的に同一の機能構成を有する要素を、同一の符号の後に異なるアルファベットを付して区別する場合もある。例えば、実質的に同一の機能構成を有する複数の要素を、必要に応じて基地局１００Ａ、１００Ｂ及び１００Ｃのように区別する。ただし、実質的に同一の機能構成を有する複数の要素の各々を特に区別する必要がない場合、同一符号のみを付する。例えば、基地局１００Ａ、１００Ｂ及び１００Ｃを特に区別する必要が無い場合には、単に基地局１００と称する。
【００１７】
なお、説明は以下の順序で行うものとする。
１．システム構成例
２．ビームトラッキングに関する考察
２．１．ビームトラッキングの概要
２．２．ＳＲＳ
２．３．その他
３．各装置の構成例
３．１．基地局の構成例
３．２．端末装置の構成
４．第１の実施形態
４．１．技術的課題
４．２．技術的特徴
５．第２の実施形態
５．１．技術的課題
５．２．技術的特徴
６．応用例
７．まとめ
【００１８】
＜＜１．システム構成例＞＞
まず、図１を参照して、本開示の一実施形態に係るシステムの構成の一例を説明する。図１は、本実施形態に係るシステムの構成の一例を説明するための図である。図１に示すように、本実施形態に係るシステム１は、基地局１００及び端末装置２００を含む。
【００１９】
基地局１００は、セル１１を運用し、セル１１内の端末装置２００に無線通信サービスを提供する装置である。図１に示したように、基地局１００は複数存在してもよく、基地局１００Ａ〜１００Ｃは、それぞれセル１１Ａ〜１１Ｃを運用して、それぞれ端末装置２００Ａ〜２００Ｃに無線通信サービスを提供する。図１に示した例では、基地局１００Ａ及び１００Ｂはスモールセル基地局であり、セル１１Ａ及び１１Ｂはスモールセルである。また、基地局１００Ｃは、マクロセル基地局であり、セル１１Ｃはマクロセルである。マクロセル基地局１００Ｃは、管理下のスモールセル基地局１００Ａ及び１００Ｂによる無線通信を協調的に制御する機能を有する。なお、基地局１００間は、通信可能に接続されており、例えばＸ２インタフェースにより接続される。また、基地局１００とコアネットワーク１２との間は、通信可能に接続されており、例えばＳ１インタフェースにより接続される。
【００２０】
端末装置２００は、基地局１００と通信する装置である。端末装置２００は、典型的には高いモビリティを有し、移動に応じたセル選択が行われる。他にも、基地局１００又は端末装置２００によりビームが形成される場合、端末装置２００の移動に応じた適切なビームを形成して通信するためのビームトラッキングが行われる。
【００２１】
基地局を、以下ではｅＮＢ（evolved  Node  B）とも称する場合がある。このことは、基地局１００が、ＬＴＥにおける無線アクセス技術により運用されることに限定するものではなく、５Ｇの無線アクセス技術により運用され得る。即ち、基地局は、ｅＮＢ以外の他の呼び方がされてもよい。同様に、端末装置を以下ではＵＥ（User  Equipment）又はユーザとも称する場合があるが、このことは、端末装置２００がＬＴＥにおける無線アクセス技術により運用されることに限定するものではなく、５Ｇの無線アクセス技術により運用され得る。
【００２２】
コアネットワーク１２は、基地局１００を制御するする制御ノードを含む。コアネットワーク１２は、例えばＥＰＣ（Evolved  Packet  Core）を含んでいてもよいし、５Ｇのアーキテクチャを含んでいてもよい。コアネットワーク１２は、ゲートウェイ装置を介してパケットデータネットワークに接続される。
【００２３】
＜＜２．ビームトラッキングに関する考察＞＞
以下、ビームトラッキングに関する考察を各観点から行う。
【００２４】
＜２．１．ビームトラッキングの概要＞
（ビームトラッキングの必要性）
ｅＮＢには、例えば３０ＧＨｚ帯では２５６本、７０ＧＨｚ帯では１０００本といった、非常に多数のアンテナ（より詳しくは、アンテナ素子）が搭載されることが想定されている。アンテナ素子数が多くなるに応じて、より鋭いビームを形成することが可能となる。例えば、半値幅（３ｄＢ落ちのレベルが何度以上で起きるかを示す）が１度以下といった、非常に鋭いビームを、ｅＮＢからＵＥに提供することが可能になる。
【００２５】
非常に鋭いビームが形成される環境下で、ＵＥが高速に移動する場合（例えば、時速５００Ｋｍで移動する場合）、ＵＥがビームの外に容易に出てしまうことが想定される。ＵＥがビームの外に出てしまうと、ｅＮＢから当該ＵＥへのデータの送信が困難になる。従って、図２に示すように、ビームが高速移動するＵＥに追従（トラッキング）可能になることが望ましい。
【００２６】
図２は、ビームトラッキングに関する考察を説明するための図である。図２に示すように、ＵＥの移動に応じて、ｅＮＢが形成するビームを追従させることが望ましい。
【００２７】
（コードブックベースビームフォーミング）
ＬＴＥでは、ビームを無段階に変化させて、ＵＥに追従するビームを作り直すような仕組みが採用される可能性は低い。新たなビームを作り直すための計算コストが発生するからである。そこで、ｅＮＢからあらゆる方向に向けたビームを事前に形成しておき、その事前に形成しておいたビームの中からＵＥとの通信に用いるビームを選択して提供する仕組みが、３ＧＰＰリリース１３のＦＤ−ＭＩＭＯ（full  dimension  multi  input  multi  output）に採用されている。このような仕組みは、コードブックベースビームフォーミング（codebook  based  beam  forming）とも称される。
【００２８】
例えば、水平方向の３６０度に対して１度刻みにビームが用意される場合、３６０個のビームが用意されることとなる。ビーム同士が半分重なる場合には、７２０個のビームが用意されることとなる。垂直方向の−９０度から＋９０度に対しても同様にビームが用意される場合には、１８０度分の３６０個のビームが用意されることとなる。
【００２９】
コードブックベースビームフォーミングにおいては、ビームトラッキングとは、コードブックとして事前に用意されたビームの中から、ＵＥとの通信に適したビームを選び続けることを意味する。
【００３０】
（ダウンリンクのリファレンス信号に基づくビームトラッキング）
３ＧＰＰ  ＲＡＮ１  リリース１３  ＦＤ−ＭＩＭＯにおいて、ビーム選択に関する検討が行われた。当該検討においては、ｅＮＢは、ダウンリンクのビームフォームされたリファレンス信号（ＲＳ：reference  signal）に基づいて、ＵＥとの通信に適したビームを選択することが検討された。そのようなダウンリンクのリファレンス信号は、ビームフォームドＣＳＩ−ＲＳ（channel  state  information-reference  signal）とも称される。ｅＮＢは、複数のビームフォームドＣＳＩ−ＲＳ（multiple  beamformed  CSI-RS）を提供し、ＵＥにおける受信結果に応じたビームを用いてＵＥとの通信を行う。以下、図３を参照して、ビームフォームドＣＳＩ−ＲＳに基づくビームトラッキング手続きを説明する。
【００３１】
図３は、ビームフォームドＣＳＩ−ＲＳに基づくビームトラッキング手続きの流れの一例を示すシーケンス図である。図３に示すように、まず、ｅＮＢは、複数のビームを用いて、複数のビームフォームドＣＳＩ−ＲＳを送信する（ステップＳ１１）。次いで、ＵＥは、提供された複数のビームフォームドＣＳＩ−ＲＳの受信結果に基づいて、ビームフォームドＣＳＩ−ＲＳの送信に用いられた複数のビームの中から望ましいビームを選択し、選択結果を示す情報をｅＮＢに送信する（ステップＳ１２）。選択結果を示す情報は、望ましいビームの識別情報（典型的には、ビーム番号）を含む。例えば、ＵＥは、各ビームの受信電力に基づいて望ましいビームをひとつ又は複数選択する。そして、ｅＮＢは、選択されたビームによりビームフォームされたユーザデータをＵＥに提供する（ステップＳ１３）。
【００３２】
このような手続きによれば、複数のビームフォームドＣＳＩ−ＲＳのセットがどの程度の頻度でＵＥに提供されるかによって、トラッキング能力が変わる。例えば、１００ｍｓ毎に提供される場合、トラッキングは、１００ｍｓの粒度で行われることになる。１００ｍｓの間、ＵＥがビームの中に留まるスピードで移動している場合には、この粒度でのトラッキングで良いが、ＵＥのスピードが速くなると、例えば５ｍｓ以下の粒度でのトラッキングが要される場合も出てくる。このような場合、複数のビームフォームドＣＳＩ−ＲＳのセットを提供するためのダウンリンクのリソースのオーバーヘッドが大きくなるので、効率的な通信が困難になる。
【００３３】
（アップリンクのリファレンス信号に基づくビームトラッキング）
ｅＮＢは、どの複数のビームを用いて上述した複数のビームフォームドＣＳＩ−ＲＳを送信するかを、典型的には、アップリンクのリファレンス信号に基づいて決定する。ｅＮＢは、アップリンクのリファレンス信号に基づいてＵＥの大まかな位置を把握して、そのＵＥに適切なビームの候補を複数選択し、選択した複数のビームの候補を用いて複数のビームフォームドＣＳＩ−ＲＳを送信する。このアップリンクのリファレンス信号は、ＳＲＳ（Sounding  Reference  Signal）とも称される。以下、図４を参照して、ＳＲＳに基づくビームトラッキング手続きを説明する。
【００３４】
図４は、ＳＲＳに基づくビームトラッキング手続きの流れの一例を示すシーケンス図である。図４に示すように、まず、ＵＥは、ＳＲＳをｅＮＢに送信する（ステップＳ２１）。次いで、ｅＮＢは、ＳＲＳの受信結果に基づいて、ＵＥとｅＮＢとの間のチャネル情報を取得し、チャネル情報に基づいて複数のビームフォームドＣＳＩ−ＲＳの送信に用いる複数のビームを選択する（ステップＳ２２）。その後、ステップＳ２３〜２５において、図３を参照して上記説明したステップＳ１１〜Ｓ１３に係る処理と同様の処理が行われる。
【００３５】
ここで、ＴＤＤ（Time  Division  duplex）の場合、アップリンクとダウンリンクとを時間的に交互に切り替えて無線リソースが使用されるため、アップリンクとダウンリンクとでチャネル情報は同様となる。一方で、ＦＤＤ（Frequency  Division  duplex）の場合、アップリンクとダウンリンクとで使用される周波数が異なるので、アップリンクとダウンリンクとでチャネル情報は異なる。よって、上記ステップＳ２１において、ｅＮＢがＳＲＳに基づいてダウンリンクのチャネル情報を取得（正確には、推定）できるのは、ＴＤＤの場合のみと言える。
【００３６】
＜２．２．ＳＲＳ＞
ＳＲＳは、上述したビーム選択よりも、ｅＮＢが、運用する周波数帯域幅（即ち、バンド幅）におけるアップリンクのチャネル情報を取得して、それをダウンリンクのスケジューリングに用いることを主目的とする。
【００３７】
スケジューリングとは、ＵＥがダウンリンク又はアップリンクのリソース（周波数及び時間で区切られた単位リソース）のどの部分を使うかをｅＮＢが決定して、決定した内容をＵＥに通知することを指す。例えば、ｅＮＢが運用するバンド幅が２０ＭＨｚである場合、リソースブロックは１５ｋＨｚ間隔で配置されるサブキャリアを１２個含み、１００個のリソースブロックが２０ＭＨｚの中に敷き詰められる。この１００個のリソースブロックのリソースは、複数のＵＥで分け合って使用される。つまり、ＦＤＭ（Frequency  Division  Multiplexing）が行われる。従って、ＵＥに２０ＭＨｚの中のどの部分を使わせるかを決定することが、ｅＮＢのスケジューリングであると言える。
【００３８】
ｅＮＢは、ＳＲＳに基づいて、上述した主目的を達成する。詳しくは、ｅＮＢは、ＳＲＳの受信結果に基づいてアップリンクのチャネル情報を取得し、取得したチャネル情報に基づいてダウンリンクのチャネル情報を推定し、推定したダウンリンクのチャネル情報に基づいてスケジューリングを行う。
【００３９】
このような、スケジューリングという主目的のために設計された既存のＳＲＳは、ビーム選択のためのリファレンス信号としては適切ではないと考えられる。例えば、ビームトラッキングのためには、チャネル全体にわたるチャネル情報が必要とは限らない。
【００４０】
（ＳＲＳのフォーマット）
図５は、ＬＴＥにおけるＳＲＳのフォーマットの一例を説明するための図である。ＬＴＥのアップリンクは、ＳＣ−ＦＤＭＡ（Single  Carrier  Frequency  Division  Multiple  Access）で運用されており、１つのサブフレームあたり１４個のシンボルが含まれる。アップリンクにおける時間方向のシンボルは、ＳＣ−ＦＤＭＡシンボル又はＯＦＤＭシンボルとも称される。図５に示すように、ＳＲＳは、最後のＯＦＤＭシンボルを用いて送信される。ただし、全てのサブフレームにおいて、最後のＯＦＤＭシンボルを用いてＳＲＳが送信されるとは限らない。例えば、通常は、１４個のＯＦＤＭシンボルの全てを用いて、ユーザデータであるＰＵＳＣＨ（Physical  Uplink  Shared  Channel）及び制御信号であるＰＵＣＣＨ（Physical  Uplink  Control  Channel）が送信される。そして、必要な時のみ、最後のＯＦＤＭシンボルを用いてＳＲＳが送信される。
【００４１】
（狭帯域のＳＲＳと広帯域のＳＲＳ）
図５に示したように、ＳＲＳは運用されるバンド幅の全てを占有して一度に送信される場合もある。他方、一度のＳＲＳの送信では運用されるバンド幅の一部が用いられる場合もある。前者は広帯域のＳＲＳとも称され、後者は狭帯域のＳＲＳとも称される。
【００４２】
図６は、ＬＴＥにおける狭帯域のＳＲＳを説明するための図である。図６に示すように、狭帯域のＳＲＳは、一度の送信では一部のバンド幅が用いられる。ただし、運用されるバンド幅全体のチャネル状態を知るという上記の主目的を達成するために、狭帯域のＳＲＳであっても、図６に示すように送信に用いるバンド幅をシフトさせることにより、結局は運用されるバンド幅全体に渡ってＳＲＳが送信されることとなる。狭帯域のＳＲＳのメリットは、ＵＥがより多くの電力を一度のＳＲＳの送信に用いることができるため、ＳＲＳのアップリンクカバレッジを増加させることができる点である。換言すると、狭帯域のＳＲＳのメリットは、ｅＮＢで受信されるＳＲＳの品質を向上させることができる点にある。
【００４３】
ここで注目すべきは、広帯域、狭帯域のいずれのＳＲＳも、運用されるバンド幅全体のチャネル情報を取得されることを主目的として設計されていることである。即ち、広帯域、狭帯域のいずれのＳＲＳも、対象とするバンド幅は、ｅＮＢが運用するバンド幅の全体である。
【００４４】
（周期的なＳＲＳと非周期的なＳＲＳ）
ｅＮＢは、ＳＲＳを周期的（periodic）に送信するように、又は非周期的（aperiodic）に送信するように、ＵＥに設定することができる。
【００４５】
ｅＮＢは、周期的なＳＲＳを設定する場合、準静的（semi−static）にＲＲＣ（Radio  Resource  Control）シグナリングを用いて設定する。従って、周期的な送信に関して、例えば送信周期をダイナミックに変更することは困難である。
【００４６】
一方、非周期的なＳＲＳに関しては、ｅＮＢは、必要に応じて非周期的にＳＲＳリクエストを送信し、ＵＥはＳＲＳリクエストを受信した場合にＳＲＳを返送する。ただし、非周期的なＳＲＳは、ビームトラッキングのために定期的にビームを選択するためのリファレンス信号としては適切ではないと考えられる。なぜならば、ダウンリンクのＳＲＳリクエストがオーバーヘッドになってしまうからである。
【００４７】
（ＳＲＳとビーム選択との関係性）
ｅＮＢは、ＵＥにビームを提供する場合、ＵＥにとって適切なビームを選択することが望ましい。
【００４８】
そのための一つの方法としては、図３及び図４を参照して上記説明したように、ｅＮＢが複数のビームフォームドリファレンス信号を提供し、ＵＥにおける受信結果に応じたビームを用いてＵＥとの通信を行うことが考えられる。その場合、図４を参照して上記説明したように、ｅＮＢは、どの複数のビームを用いて複数のビームフォームドリファレンス信号を送信するかを、ＳＲＳに基づいて決定し得る。なぜならば、ｅＮＢは、ＳＲＳの受信結果に基づいてＵＥの方向を大まかに捉えることができるためである。
【００４９】
このように、ＳＲＳは、ＵＥに提供するビーム選択のために使用可能である。一方で、ＳＲＳはアップリンクのリファレンス信号であるから、ｅＮＢがＳＲＳの受信結果に基づいてダウンリンクの干渉の状況を知ることは困難である。従って、最終的なビーム選択は、ダウンリンクのリファレンス信号に基づいて、ＵＥにより決定されることが望ましい。
【００５０】
以上説明したＳＲＳ及びダウンリンクのビームフォームドリファレンス信号を用いたビーム選択について、図７及び図８を参照して具体的に説明する。図７及び図８は、ＳＲＳ及びビームフォームドＣＳＩ−ＲＳを用いたビーム選択を説明するための図である。
【００５１】
図４を参照して上記説明したように、ｅＮＢは、ＳＲＳに基づいてＵＥの大まかな位置を把握して、そのＵＥに適切なビームの候補を複数選択する。そして、図７に示すように、ｅＮＢは、選択した複数のビームの候補を用いて複数のビームフォームドＣＳＩ−ＲＳを送信する。図７に示した例では、複数のビームフォームドＣＳＩ−ＲＳは、エリア２０Ａ〜２０Ｇ宛てに送信されており、その中心のエリア２０ＤにＵＥが含まれている。即ち、複数のビームフォームドＣＳＩ−ＲＳは、大まかにＵＥを捉えている。
【００５２】
その後、ＵＥは、提供された複数のビームフォームドＣＳＩ−ＲＳの受信結果に基づいて、ビームフォームドＣＳＩ−ＲＳの送信に用いられた複数のビームの中から望ましいビームを１つ又は複数選択し、選択結果を示す情報をｅＮＢに送信する。例えば、図８に示した例では、ＵＥは、エリア２０Ｄ宛てのビームを選択する。そして、ｅＮＢは、ビームの選択結果を示す情報に基づいて、ＵＥに適したビームを選択する。例えば、図８に示した例では、ｅＮＢは、ＵＥからのフィードバックに基づいてエリア２０Ｄ宛てのビームを選択する。
【００５３】
＜２．３．その他＞
（１）ビームトラッキングの難易度
ビームトラッキングの難易度について以下に考察する。
【００５４】
まず、ＵＥが全く動かず静止している場合が想定される。その場合、ＵＥにとって適切なビームに変更がない場合が多いので、ビームトラッキングのためのビーム選択は容易である。ただし、ＵＥが静止していても、周りの環境、例えば車又は人間等の遮蔽物がｅＮＢとＵＥの間を横切る等によるビームの遮蔽（以下、ブロッキングとも称する）の影響で再度のビーム選択が行われる場合もある。
【００５５】
また、ＵＥが高速で移動する場合が想定される。その場合、高速に移動するＵＥに対してビームを追従させることが要されるので、ビームトラッキングの難易度は高い。ＵＥに提供されるビームが鋭いものである場合、ビームトラッキングの難易度はさらに高いものとなる。例えば１度幅のビームが提供される場合、例えば１０度幅のビームが提供される場合と比較して難易度は高い。ビームが鋭いほど、ビームに含まれる範囲内でＵＥが移動する時間が短いためである。
【００５６】
ＵＥの移動速度によらず、非連続的なチャネル環境の変化が発生した場合、ビーム選択の難易度は高いものとなる。非連続的なチャネル環境の変化は、例えば遮蔽物がｅＮＢとＵＥとの間に突然入り込んだ場合、及びアンテナが平面的に配置されているＵＥが急に回転する場合等に発生し得る。このような場合、ＵＥにとって適切なビームが変化し得る。また、直接的にＵＥに届くビームよりも、反射して間接的にＵＥに届くビームの方が適切な場合もあると考えられる。
【００５７】
（２）ビームトラッキングとセル選択との関係
ＬＴＥにおいては、ＵＥは、ｅＮＢが無指向性のアンテナで送信するダウンリンクリファレンス信号（例えば、ＣＳＩ−ＲＳ）を受信して受信電力（例えば、ＲＳＲＰ（Reference  Signal  Received  Power)を測定し、測定結果に基づいて接続先のｅＮＢを選択していた。この測定は、ＵＥが既にｅＮＢに接続して通信中であっても行われており、ＵＥは常により望ましいｅＮＢを探索する。
【００５８】
例えば、接続中のｅＮＢ（即ち、サービングｅＮＢ）から提供されるダウンリンクの品質（即ち、ダウンリンクリファレンス信号の受信電力の測定結果）が許容できないものであり、よりダウンリンクの品質が良い他のｅＮＢが存在する場合がある。その場合、ＵＥは、当該他のｅＮＢ（即ち、ターゲットｅＮＢ）にハンドオーバすることを決定し、その希望をサービングｅＮＢに通知する。そして、サービングｅＮＢにおいてハンドオーバを許容するか否かのハンドオーバ決定が行われ、許容された場合、ＵＥはターゲットｅＮＢにハンドオーバする。
【００５９】
ｅＮＢは、鋭いビームを提供できる場合、ＵＥの移動に応じてビームを追従させるようにビーム選択を行うこと（即ち、ビームトラッキング）ができる。しかし、いつまでもビームが追従してくると、ＵＥにとっては、他のｅＮＢにハンドオーバするタイミングをつかみづらい。なぜならば、サービングｅＮＢは、指向性の鋭いビームをＵＥの移動に応じて追従させる場合、セルエッジであっても良好なダウンリンクの品質を提供可能であるためである。
【００６０】
そのため、ＵＥは、ビームトラッキングが行われる環境下では、ハンドオーバのタイミングを決定することが困難であった。
【００６１】
＜＜３．各装置の構成例＞＞
続いて、本開示の一実施形態に係るシステム１に含まれる各装置の構成の一例を説明する。
【００６２】
＜３．１．基地局の構成例＞
図９は、本実施形態に係る基地局１００の構成の一例を示すブロック図である。図９を参照すると、基地局１００は、アンテナ部１１０、無線通信部１２０、ネットワーク通信部１３０、記憶部１４０及び制御部１５０を備える。
【００６３】
（１）アンテナ部１１０
アンテナ部１１０は、無線通信部１２０により出力される信号を電波として空間に放射する。また、アンテナ部１１０は、空間の電波を信号に変換し、当該信号を無線通信部１２０へ出力する。
【００６４】
とりわけ、本実施形態では、アンテナ部１１０は、複数のアンテナ素子を有し、ビームを形成することが可能である。
【００６５】
（２）無線通信部１２０
無線通信部１２０は、信号を送受信する。例えば、無線通信部１２０は、端末装置へのダウンリンク信号を送信し、端末装置からのアップリンク信号を受信する。
【００６６】
とりわけ、本実施形態では、無線通信部１２０は、アンテナ部１１０により複数のビームを形成して端末装置２００と通信することが可能である。
【００６７】
（３）ネットワーク通信部１３０
ネットワーク通信部１３０は、情報を送受信する。例えば、ネットワーク通信部１３０は、他のノードへの情報を送信し、他のノードからの情報を受信する。例えば、上記他のノードは、他の基地局及びコアネットワークノードを含む。
【００６８】
（４）記憶部１４０
記憶部１４０は、基地局１００の動作のためのプログラム及び様々なデータを一時的に又は恒久的に記憶する。
【００６９】
（５）制御部１５０
制御部１５０は、基地局１００の様々な機能を提供する。制御部１５０は、設定部１５１及び通信制御部１５３を含む。なお、制御部１５０は、これらの構成要素以外の他の構成要素をさらに含み得る。即ち、制御部１５０は、これらの構成要素の動作以外の動作も行い得る。設定部１５１及び通信制御部１５３の動作は、後に詳細に説明する。
【００７０】
＜３．２．端末装置の構成＞
図１０は、本実施形態に係る端末装置２００の構成の一例を示すブロック図である。図１０を参照すると、端末装置２００は、アンテナ部２１０、無線通信部２２０、記憶部２３０及び制御部２４０を備える。
【００７１】
（１）アンテナ部２１０
アンテナ部２１０は、無線通信部２２０により出力される信号を電波として空間に放射する。また、アンテナ部２１０は、空間の電波を信号に変換し、当該信号を無線通信部２２０へ出力する。
【００７２】
（２）無線通信部２２０
無線通信部２２０は、信号を送受信する。例えば、無線通信部２２０は、基地局からのダウンリンク信号を受信し、基地局へのアップリンク信号を送信する。
【００７３】
とりわけ、本実施形態では、無線通信部２２０は、複数のビームを形成して通信する基地局１００と通信することが可能である。
【００７４】
（３）記憶部２３０
記憶部２３０は、端末装置２００の動作のためのプログラム及び様々なデータを一時的に又は恒久的に記憶する。
【００７５】
（４）制御部２４０
制御部２４０は、端末装置２００の様々な機能を提供する。制御部２４０は、設定部２４１及び通信制御部２４３を含む。なお、制御部２４０は、これらの構成要素以外の他の構成要素をさらに含み得る。即ち、制御部２４０は、これらの構成要素の動作以外の動作も行い得る。設定部２４１及び通信制御部２４３の動作は、後に詳細に説明する。
【００７６】
以下では、基地局１００をｅＮＢ１００とも称し、端末装置２００をＵＥ２００とも称する。
【００７７】
＜＜４．第１の実施形態＞＞
本実施形態は、ｅＮＢ１００からのビームフォームされたダウンリンク信号の送信に用いられたビームの品質情報をＵＥ２００に通知することで、品質情報に基づく処理が行われる形態である。
【００７８】
＜４．１．技術的課題＞
本実施形態の技術的課題は、上述した、ビームトラッキングが行われる環境下では、ハンドオーバのタイミングを決定することが困難なことである。
【００７９】
＜４．２．技術的特徴＞
（１）ＢＱＩ
上記技術的課題に鑑み、本実施形態では、ｅＮＢ１００が用いるビームの方向に関する品質を示す品質情報が導入される。品質情報は、任意の方法で表現され得る。例えば、品質情報は、品質の良さ又は悪さを示す指標として表現されてもよい。以下では、品質の良さ又は悪さを示す指標として表現される品質情報の一例として、ＢＱＩ（Beam  Quality  Index）を導入する。ＢＱＩは、例えばハンドオーバ決定のために用いられ得る。例えば、ＵＥ２００は、ＢＱＩが良い場合にはハンドオーバせず、ＢＱＩが悪い場合にハンドオーバしてもよい。
【００８０】
ｅＮＢ１００（例えば、設定部１５１）は、任意の基準に従ってＢＱＩを設定してもよい。
【００８１】
例えば、ＢＱＩは、ビームがセルエッジに向く度合に応じて設定されてもよい。例えば、セルエッジに向く度合が高いビームには、悪いＢＱＩが設定されてもよい。また、セルエッジに向く度合が低いビーム、即ちセルの中心に向く度合が高いビームには、良いＢＱＩが設定されてもよい。これにより、セルエッジに向くビームを受信するＵＥ２００に、即ちセルエッジに存在するＵＥ２００により適切なｅＮＢ１００へのハンドオーバ又はセル選択を促すことが可能となる。
【００８２】
また、ＢＱＩは、ビームの方向と基準方向とが成す角度に応じて設定されてもよい。基準方向は、水平方向又は垂直方向であり、例えば水平方向を基準とする場合は、ＢＱＩは、ビームの方向と水平方向とが成す角度（換言すると、垂直方向の角度）に応じて設定されてもよい。これは、ビームの垂直方向の角度が、典型的にはセルエッジに向く度合と対応するためである。例えば、水平方向の角度を０度とし、鉛直方向（即ち、地面の方向）の角度を−９０度、鉛直方向の逆方向である天頂方向の角度を９０度とする。その場合、角度が０度又は０度に近いビームには悪いＢＱＩが設定され、角度が−９０度若しくは−９０度に近いビーム又は９０度若しくは９０度に近いビームには良いビームが設定されてもよい。このような設定により、隣接セルに干渉を与えやすい又は隣接セルからの干渉を受けやすい位置に存在するＵＥ２００に、より適切なｅＮＢ１００へのハンドオーバ又はセル選択を促すことが可能となる。そして、それに伴い、隣接セルへの干渉及び隣接セルからの干渉を抑制することが可能となる。
【００８３】
まず、ビームの垂直方向の角度が−９０度〜０度である場合について、図１１及び図１２を参照して詳しく説明する。図１１及び図１２は、本実施形態に係るＢＱＩの一例を説明するための図である。
【００８４】
図１１に示すように、ｅＮＢ１００が、複数のビームを用いてダウンリンク信号を送信可能な状況を想定する。図１１に示した例では、ｅＮＢ１００は、エリア３０Ａ〜３０Ｇ宛てのビームを用いてビームフォームされたダウンリンク信号を送信し得る。一般的に、ｅＮＢ１００は地面から１０ｍ（メートル）程度の高さに位置し、ＵＥ２００は地面から１〜２ｍ程度の高さに位置する。よって、ビームの垂直方向の角度が−９０度に近いほど水平方向への影響が少ない（即ち、ビームがセルの中心から遠くに届きづらい）ので、隣接ｅＮＢへ干渉を与えにくく、且つ隣接ｅＮＢから干渉を受けにくい。そこで、ｅＮＢ１００は、鉛直方向に近い範囲３１Ａ宛てに送信されるビーム、即ち垂直方向の角度が−９０度に近いビームに良いＢＱＩを設定する。
【００８５】
一方で、ビームの垂直方向の角度が０度に近いほど水平方向への影響が大きい（即ち、ビームがセルの中心から遠くに届きやすい）ので、隣接ｅＮＢへ干渉を与えやすく、且つ隣接ｅＮＢから干渉を受けやすい。例えば、図１２に示すように、ｅＮＢ１００Ａ（図１１におけるｅＮＢ１００に相当）よりも、その隣接ｅＮＢであるｅＮＢ１００Ｂの方が、範囲３１Ｂにビームを提供するのに適している場合がある。そこで、ｅＮＢ１００Ａは、水平方向に近い範囲３１Ｂ宛てに送信されるビーム、即ち垂直方向の角度が０度に近いビームに悪いＢＱＩを設定する。
【００８６】
このような設定により、隣接セルに干渉を与えやすい又は隣接セルからの干渉を受けやすい位置に存在するＵＥ２００に、より適切なｅＮＢ１００へのハンドオーバ又はセル選択を促すことが可能となる。そして、それに伴い、隣接セルへの干渉及び隣接セルからの干渉を抑制することが可能となる。
【００８７】
続いて、ビームの垂直方向の角度が９０度〜０度である場合について、図１３を参照して詳しく説明する。図１３は、本実施形態に係るＢＱＩの一例を説明するための図である。
【００８８】
図１３に示すように、ビル内のＵＥ２００など、ｅＮＢ１００よりも高い位置にＵＥ２００が存在する場合がある。その場合、ｅＮＢ１００は、水平方向（０度）よりも天頂方向（９０度）側にビームフォームされたダウンリンク信号を送信することとなる。例えば、高層階のフロアに存在するＵＥ２００へは、垂直方向の角度が９０度に近いビームが提供されることが望ましい。
【００８９】
この場合も上記と同様に、ビームの垂直方向の角度が９０度に近いほど水平方向への影響が少ない（即ち、ビームがセルの中心から遠くに届きづらい）ので、隣接ｅＮＢへ干渉を与えにくく、且つ隣接ｅＮＢから干渉を受けにくい。そこで、ｅＮＢ１００は、天頂方向に近い範囲３１Ｃ宛てに送信されるビーム、即ち垂直方向の角度が９０度に近いビームに良いＢＱＩを設定する。一方で、ビームの垂直方向の角度が０度に近いほど水平方向への影響が大きい（即ち、ビームがセルの中心から遠くに届きやすい）ので、隣接ｅＮＢへ干渉を与えやすく、且つ隣接ｅＮＢから干渉を受けやすい。そこで、ｅＮＢ１００は、水平方向に近い範囲３１Ｄ宛てに送信されるビーム、即ち垂直方向の角度が０度に近いビームに悪いＢＱＩを設定する。
【００９０】
このような設定により、隣接セルに干渉を与えやすい又は隣接セルからの干渉を受けやすい位置に存在するＵＥ２００に、より適切なｅＮＢ１００へのハンドオーバ又はセル選択を促すことが可能となる。そして、それに伴い、隣接セルへの干渉及び隣接セルからの干渉を抑制することが可能となる。
【００９１】
上記説明したＢＱＩの設定値の一例を、下記の表１に示す。
【００９２】
【表１】
2018019345.tif 000003
【００９３】
なお、ＢＱＩが、ビームの方向と水平方向とが成す角度（即ち、垂直方向の角度）に応じて設定されることは、ＢＱＩが、ビームの方向と鉛直方向とが成す角度に応じて設定されることと換言されてもよい。その場合、上記の−９０度を０度に、上記の０度を９０度に、上記の９０度を１８０度に、それぞれ読み替えればよい。
【００９４】
ビームの品質情報は、上記ＢＱＩの他、ビームの方向と水平方向とが成す角度を示す情報、又はビームがセルエッジに向く度合を示す情報等の、多様な形式で表現され得る。ただし、ＢＱＩにより品質情報を表す方が、表現の自由度は高いものと考えられる。以下では、品質情報を単にＢＱＩとも称するが、本技術の品質情報はＢＱＩに限定されない。
【００９５】
他にも、ビームの品質情報は、単にビームの方向に対応付けられる情報として捉えられてもよい。具体的には、ビームの品質情報は、隣接ｅＮＢ１００との位置関係に基づいて設定されてもよい。例えば、隣接ｅＮＢ１００の方向に向くビームには悪い品質情報が設定され、他の方向に向くビームには良い品質情報が設定されてもよい。スモールセルＯＮ／ＯＦＦが切り替えられ得ることを考慮すれば、このような動的な設定が可能となることが望ましい。
【００９６】
（２）ＢＱＩの通知方法
ｅＮＢ１００（例えば、通信制御部１５３）は、ビームの方向に関する品質を示す品質情報をＵＥ２００に通知する。例えば、ｅＮＢ１００は、ダウンリンク信号を送信する際に、当該ダウンリンク信号に対応付けてＢＱＩを通知する。これにより、ＵＥ２００は、ＢＱＩに基づいてハンドオーバ又はセル選択等の処理を行うことが可能となる。この点を、図１４を参照して具体的に説明する。
【００９７】
図１４は、本実施形態に係るＢＱＩの通知方法を説明するための図である。図１４に示した例では、ｅＮＢ１００は、ビームを用いてビームフォームされるダウンリンク信号にＢＱＩを含めて送信する。図１４に示すように、ダウンリンク信号に、ビームの品質情報を運ぶための制御領域が用意されており、ｅＮＢ１００は、当該制御領域に品質情報を含めて通知してもよい。例えば、ｅＮＢ１００は、範囲３１Ａ宛てのビームを用いてビームフォームされるダウンリンク信号の制御領域に、良いＢＱＩを含めて送信する。また、ｅＮＢ１００は、範囲３１Ｂ宛てのビームを用いてビームフォームされるダウンリンク信号の制御領域に、悪いＢＱＩを含めて送信する。このダウンリンク信号は、ユーザデータを含むデータ信号であってもよいし、リファレンス信号であってもよい。
【００９８】
他方、ＵＥ２００（例えば、通信制御部２４３）は、ｅＮＢ１００からビームを用いて送信されたダウンリンク信号を受信することによって、ダウンリンク信号の送信に用いられたビームの方向に関する品質を示す品質情報を取得する。例えば、ＵＥ２００は、ｅＮＢ１００からビームを用いて送信されたデータ信号又はリファレンス信号の制御領域から、当該データ信号又はリファレンス信号の送信に用いられたビームのＢＱＩを取得する。
【００９９】
ただし、リファレンス信号にＢＱＩを含めて送信することは困難である。なぜならば、通常、ｅＮＢが例えばセルセレクション用に送信するリファレンス信号は、ＵＥ側で送信元のｅＮＢを識別可能にするために、ｅＮＢ間で異なる符号系列が用いられる。そのため、ＵＥは、どのｅＮＢからリファレンス信号が到来したかを識別することは可能である。一方で、同一のｅＮＢからは異なるビームが用いられる場合であっても同一のリファレンス信号が送信されるため、ＵＥは、同一のｅＮＢから到来する異なるビームを用いて送信されたリファレンス信号の各々を、ビームごとに識別することは困難である。ここで、リファレンス信号として用いられる符号系列は、ｅＮＢ間で互いに直交する系列が用いられる。従って、このようなリファレンス信号の中に、デコードしないと取得することができない情報（例えば、ＢＱＩ）を含めることは困難である。
【０１００】
そこで、ｅＮＢ１００（例えば、通信制御部１５３）は、ビームを用いて且つ当該ビームの品質情報に対応付けられたリソースを用いてリファレンス信号を送信することで、品質情報をＵＥ２００に通知する。即ち、ｅＮＢ１００は、ビームフォームされたリファレンス信号を、用いるビームのＢＱＩに対応するリソースを用いて送信することで、暗示的にＢＱＩをＵＥ２００に通知する。これにより、ｅＮＢ１００は、リファレンス信号に制御領域を設けてＢＱＩを含ませずとも、ＢＱＩをＵＥ２００に通知することが可能となる。なお、以下では、ビームフォームされたダウンリンクのリファレンス信号を、ＢＦ  ＤＬ  ＲＳ（Beam  Formed  Downlink  Reference  Signal）とも称する。
【０１０１】
また、ｅＮＢ１００（例えば、設定部１５１）は、ビームの方向に関する品質を示す品質情報をＵＥ２００に取得させるための設定情報を、ＵＥ２００に通知する。この設定情報は、品質情報に対応するリソースを示す情報を含む。例えば、設定情報は、ＢＱＩが０のビームに対応するリソースを示す情報、ＢＱＩが０のビームに対応するリソースを示す情報を含む。これにより、暗示的に通知されるＢＱＩをＵＥ２００に取得させることが可能となる。なお、設定情報の通知には、専用シグナリング（Dedicated  Signaling）又はシステム情報（例えば、ＳＩＢ（System  Information  Block）又はＭＩＢ（Master  Information  Block）等））が用いられてもよい。専用シグナリングが用いられる場合、ＵＥ２００は、ｅＮＢ１００に接続してから当該ｅＮＢ１００の設定情報を取得することが可能となる。一方で、システム情報が用いられる場合、ＵＥ２００は、ｅＮＢ１００の設定情報を、接続前に取得することが可能となる。
【０１０２】
そして、ＵＥ２００（例えば、通信制御部２４３）は、ビームの品質情報とリソースとを対応付けた設定情報に基づいて、リファレンス信号の受信に用いたリソースに対応する品質情報を、リファレンス信号の送信に用いられたビームの品質情報として取得する。例えば、ＵＥ２００は、ＢＦ  ＤＬ  ＲＳが受信されたリソースに対応するＢＱＩを、ＢＦ  ＤＬ  ＲＳの送信に用いられたビームのＢＱＩとして取得する。
【０１０３】
そのために、ＵＥ２００（例えば、設定部２４１）は、設定情報に基づいてリソース設定を行う。例えば、ＵＥ２００は、設定情報に基づいてリソースにＢＱＩを対応付ける設定を行う。これにより、ＵＥ２００は、あるリソースにおいて受信されたＢＦ  ＤＬ  ＲＳのＢＱＩが、そのリソースに対応付けて設定したＢＱＩであることを認識することが可能となる。
【０１０４】
ここで、ＢＦ  ＤＬ  ＲＳの送信に用いられるリソースは、異なる品質情報が対応付けられるリソース同士で直交する。例えば、ＢＱＩが０のビームに対応するリソースとＢＱＩが１のビームに対応するリソースとは、時間領域、周波数領域、又は符号領域の少なくともいずれかにより直交する。異なるＢＱＩに対応するビームが、互いに直交するリソースを用いて送信されることにより、ＵＥ２００は、受信した各ビームがどのＢＱＩに属するかを識別することが可能となる。なお、同一のＢＱＩが設定される複数のビームは、ひとつのリソースを共通して用いて送信されてもよいし、それぞれが同一のＢＱＩに対応付けられた異なるリソースを用いて送信されてもよい。
【０１０５】
このようなＢＱＩとリソースとの対応付けの一例を、図１５〜図１７を参照して説明する。
【０１０６】
図１５は、本実施形態に係るＢＱＩとリソースとの対応関係の一例を示す図である。本図では、異なるＢＱＩが対応付けられるリソース同士が、時間領域で直交する例を示している。例えば、ＢＱＩが０のビームによりビームフォームされるＢＦ  ＤＬ  ＲＳは、リソース４１又は４２により送受信される。また、ＢＱＩが１のビームによりビームフォームされるＢＦ  ＤＬ  ＲＳは、リソース４３又は４４により送受信される。また、ＢＱＩが２のビームによりビームフォームされるＢＦ  ＤＬ  ＲＳは、リソース４５又は４６により送受信される。そして、リソース４１及び４２と、リソース４３及び４４と、リソース４５及び４６とは、互いに時間領域で直交する。
【０１０７】
図１６は、本実施形態に係るＢＱＩとリソースとの対応関係の一例を示す図である。本図では、図１５に示したリソースとｅＮＢ１００から送信されるＢＦ  ＤＬ  ＲＳとの対応関係が示されている。例えば、エリア３０Ａ宛てのビームによりビームフォームされるＢＦ  ＤＬ  ＲＳは、リソース４１により送受信される。また、エリア３０Ｂ宛てのビームによりビームフォームされるＢＦ  ＤＬ  ＲＳは、リソース４２により送受信される。また、エリア３０Ｃ宛てのビームによりビームフォームされるＢＦ  ＤＬ  ＲＳは、リソース４３により送受信される。また、エリア３０Ｄ宛てのビームによりビームフォームされるＢＦ  ＤＬ  ＲＳは、リソース４４により送受信される。また、エリア３０Ｅ宛てのビームによりビームフォームされるＢＦ  ＤＬ  ＲＳは、リソース４５により送受信される。また、エリア３０Ｆ宛てのビームによりビームフォームされるＢＦ  ＤＬ  ＲＳは、リソース４６により送受信される。例えば、ＵＥ２００は、ｅＮＢ１００に接続中に、どのリソースの受信電力が大きいかを測定する。そして、仮にＢＱＩが０のリソース４１又は４２における受信電力が大きい場合、ＵＥ２００は、そのまま接続を継続する。一方で、仮にＢＱＩが２のリソース４５又は４６における受信電力が大きい場合、ＵＥ２００は、隣接ｅＮＢへのハンドオーバを、サービングｅＮＢであるｅＮＢ１００にリクエストしてもよい。なお、図１６では、ひとつのビームがひとつのリソースに対応しているが、同一のＢＱＩが設定される複数のビームがひとつのリソースに対応していてもよい。
【０１０８】
図１７は、本実施形態に係るＢＱＩとリソースとの対応関係の一例を示す図である。本図では、異なる品質情報が対応付けられるリソース同士が、周波数領域で直交する例を示している。例えば、ＢＱＩが０のビームによりビームフォームされるＢＦ  ＤＬ  ＲＳは、リソース５１又は５２により送受信される。また、ＢＱＩが１のビームによりビームフォームされるＢＦ  ＤＬ  ＲＳは、リソース５３又は５４により送受信される。また、ＢＱＩが２のビームによりビームフォームされるＢＦ  ＤＬ  ＲＳは、リソース５５又は５６により送受信される。そして、リソース５１及び５２と、リソース５３及び５４と、リソース５５及び５６とは、互いに周波数領域で直交する。
【０１０９】
以上説明したＢＱＩとリソースとの対応付けは、設定情報としてｅＮＢ１００からＵＥ２００へ通知される。設定情報には、例えば、ビームｉはＢＱＩがｊであるリソースｋを使用する、といった情報が含まれる。ＵＥ２００は、この設定情報を参照して、リソースｋにおいて受信されたビームｉのＢＱＩがｊであることを識別することが可能となる。
【０１１０】
なお、上述したＢＱＩとリソースとの対応付けは、ＢＦ  ＤＬ  ＲＳだけでなく、データ信号にも適用されてもよい。即ち、ｅＮＢ１００は、ビームを用いて且つ当該ビームのＢＱＩに対応付けられたリソースを用いてデータ信号を送信することで、ＢＱＩをＵＥ２００に暗示的に通知してもよい。
【０１１１】
（３）ＢＱＩに基づく処理
例えば、ＵＥ２００（例えば、通信制御部２４３）は、ビームの品質情報に基づいて接続候補のｅＮＢ１００を選択してもよい。接続候補のｅＮＢ１００を選択することは、例えばＲＲＣ接続（Radio  Resource  Control  Connected）状態におけるハンドオーバ、又はＲＲＣアイドル（Idle）状態におけるセル選択を意味していてもよい。例えば、ｅＮＢ１００が指向性の鋭いビームをＵＥの移動に応じて追従させる環境下において、ＵＥ２００は、良好なダウンリンクの品質が提供されていてもＢＱＩが悪い場合、より適切ななｅＮＢ１００へのハンドオーバ又はセル選択を行うことが可能となる。これにより、隣接セルへの干渉及び隣接セルからの干渉を抑制することが可能となる。
【０１１２】
・評価指標
以下では、まず、受信電力とＢＱＩという２つの評価指標の関係について説明する。ＬＴＥにおいては、例えば受信電力がハンドオーバ又はセル選択の評価指標となっていた。しかし、ｅＮＢがビームを用いて通信する環境下においては、本実施形態で導入されたビームの品質情報（例えば、ＢＱＩ）も評価指標に加えられることが望ましい。受信電力とＢＱＩとの関係は任意に設定され得る。例えば、ＵＥ２００は、リファレンス信号の受信電力を示す情報の差分が閾値未満である複数のｅＮＢ１００を対象として、品質情報に基づいて接続候補のｅＮＢ１００を選択してもよい。より簡易には、ＵＥ２００は、ＢＦ  ＤＬ  ＲＳの受信電力が共に所定範囲内である複数のｅＮＢ１００に関しては、ＢＱＩがより良いＢＦ  ＤＬ  ＲＳの送信元のｅＮＢ１００を優先してもよい（即ち、接続候補として選択されてもよい）。このような評価指標の一例を、下記の表２の示す。
【０１１３】
【表２】
2018019345.tif 000004
【０１１４】
上記表２によれば、例えばｅＮＢ１００Ａが提供するＢＦ  ＤＬ  ＲＳの受信電力が−７０ｄＢｍであり、ｅＮＢ１００Ｂが提供するＢＦ  ＤＬ  ＲＳの受信電力が−７５ｄＢｍである場合、両者の受信電力は同一の範囲に含まれる。そこで、ＵＥ２００は、ｅＮＢ１００Ａ及び１００Ｂのうち、ＢＦ  ＤＬ  ＲＳのＢＱＩがより良い方を、接続候補として選択する。また、例えば例えばｅＮＢ１００Ａが提供するＢＦ  ＤＬ  ＲＳの受信電力が−７０ｄＢｍであり、ｅＮＢ１００Ｂが提供するＢＦ  ＤＬ  ＲＳの受信電力が−９０ｄＢｍである場合、両者の受信電力は同一の範囲に含まれない。そこで、ＵＥ２００は、ｅＮＢ１００Ａ及び１００Ｂのうち、ＲＳＲＰがより高い方を、接続候補として選択する。
【０１１５】
・メジャメントレポートトリガ
ＵＥ２００がＲＲＣ接続状態にあってｅＮＢ１００に接続している場合に、ｅＮＢ１００にハンドオーバの決定を行ってもらうために、メジャメントレポートを送信する。メジャメントレポートトリガとは、このメジャメントレポートの送信動作のトリガとなる条件である。メジャメントレポートトリガは、他にも、メジャメントトリガ又はメジャメントイベントとも称される場合がある。
【０１１６】
ＬＴＥにおいては、例えば「サービングｅＮＢのＲＳＲＰ＜ターゲットｅＮＢのＲＳＲＰ＋オフセット」のような条件が満たされることが、メジャメントトリガとして採用されている。より簡易には、サービングｅＮＢよりも良いダウンリンク品質が提供可能であると期待されるターゲットｅＮＢが見つかったことが、メジャメントトリガとして採用されている。
【０１１７】
本実施形態では、ＢＱＩを考慮したメジャメントトリガを提供する。なお、以下のハンドオーバに関する説明においては、サービングｅＮＢ（即ち、ソースｅＮＢ）をｅＮＢ１００Ａとし、ターゲットｅＮＢをｅＮＢ１００Ｂとして説明する。
【０１１８】
例えば、ＵＥ２００（例えば、通信制御部２４３）は、ビームの品質情報に関するメジャメントレポートトリガに基づいて、メジャメントレポートを送信する。例えば、ＵＥ２００は、サービングｅＮＢ１００ＡからのＢＦ  ＤＬ  ＲＳのＢＱＩとターゲットｅＮＢ１００ＢからのＢＦ  ＤＬ  ＲＳのＢＱＩとを比較して、比較結果に基づいてメジャメントレポートを送信する。これにより、ＵＥ２００は、サービングｅＮＢ１００Ａから良好なダウンリンクの品質が提供されていてもＢＱＩが悪く、且つＢＱＩが良いターゲットｅＮＢ１００Ｂが存在する場合に、メジャメントレポートを送信してハンドオーバを促すことが可能となる。
【０１１９】
メジャメントレポートトリガの一例を、下記の表３に示す。
【０１２０】
【表３】
2018019345.tif 000005
【０１２１】
タイプ１のメジャメントレポートトリガは、接続中のサービングｅＮＢ１００Ａより品質情報が良い接続候補のｅＮＢ１００Ｂが存在することである。例えば、ＵＥ２００は、サービングｅＮＢ１００ＡからのＢＦ  ＤＬ  ＲＳのＢＱＩよりもターゲットｅＮＢ１００ＢからのＢＦ  ＤＬ  ＲＳのＢＱＩの方が良い場合に、メジャメントレポートをサービングｅＮＢ１００Ａへ送信する。より簡易には、ＵＥ２００は、サービングｅＮＢ１００ＡよりもＢＱＩが良いターゲットｅＮＢ１００Ｂがある場合に、メジャメントレポートを送信する。
【０１２２】
タイプ２のメジャメントレポートトリガは、接続中のｅＮＢ１００Ａとのリファレンス信号の受信電力を示す情報の差分が閾値未満であり、接続中のｅＮＢ１００Ａより品質情報が良い接続候補のｅＮＢ１００Ｂが存在することである。例えば、ＵＥ２００は、サービングｅＮＢ１００ＡからのＢＦ  ＤＬ  ＲＳのＲＳＲＰとターゲットｅＮＢ１００ＢからのＢＦ  ＤＬ  ＲＳのＲＳＲＰとの差が閾値Ｘ未満であり、且つサービングｅＮＢ１００ＡからのＢＦ  ＤＬ  ＲＳのＢＱＩよりもターゲットｅＮＢ１００ＢからのＢＦ  ＤＬ  ＲＳのＢＱＩの方が良い場合に、メジャメントレポートをサービングｅＮＢ１００Ａへ送信する。より簡易には、ＵＥ２００は、ＲＳＲＰにそれほど大きな差がなく、サービングｅＮＢ１００ＡよりもＢＱＩが良いターゲットｅＮＢ１００Ｂがある場合に、メジャメントレポートを送信する。
【０１２３】
・メジャメントレポート
メジャメントレポートは、接続中のｅＮＢ１００Ａ及び接続候補のｅＮＢ１００Ｂの品質情報を含む。例えば、メジャメントレポートは、ＬＴＥにおいて含まれていたＲＳＲＰに加えて、ＢＱＩを含み得る。より具体的には、メジャメントレポートは、サービングｅＮＢ１００Ａから提供されるＢＦ  ＤＬ  ＲＳのＲＳＲＰ及びＢＱＩ、並びにターゲットｅＮＢ１００Ｂから提供されるＢＦ  ＤＬ  ＲＳのＲＳＲＰ及びＢＱＩを含み得る。
【０１２４】
そして、ｅＮＢ１００（例えば、通信制御部１５３）は、ＵＥ２００が受信したＢＦ  ＤＬ  ＲＳの品質情報を含むメジャメントレポートに基づいて、ＵＥ２００に関するハンドオーバ決定を行う。ハンドオーバを許容するか否かの決定には、例えば上記表３に示したメジャメントトリガと同様の基準が用いられてもよい。
【０１２５】
このように、メジャメントレポートにＢＱＩが含まれることで、ｅＮＢ１００は、ＢＱＩを考慮したハンドオーバ決定を行うことが可能となる。
【０１２６】
・処理の流れ
以下では、図１８及び図１９を参照して、以上説明したＢＱＩに基づく処理の流れの一例を説明する。
【０１２７】
（ハンドオーバ処理）
図１８は、本実施形態に係るシステム１において実行されるＲＲＣ接続状態のＵＥ２００のハンドオーバ処理の流れの一例を示すシーケンス図である。本シーケンスには、ＵＥ２００、ソースｅＮＢ１００Ａ及びターゲットｅＮＢ１００Ｂが関与する。なお、ＵＥ２００は、ｅＮＢ１００Ａと接続中であるものとする。
【０１２８】
図１８に示すように、まず、ＵＥ２００は、ソースｅＮＢ１００Ａから専用シグナリング又はシステム情報を用いて送信された設定情報を受信する（ステップＳ１０２）。また、ＵＥ２００は、ターゲットｅＮＢ１００Ｂからシステム情報を用いて送信された設定情報を受信する（ステップＳ１０４）。これらの設定情報には、例えばビームの品質情報と当該ビームによりビームフォームされるＢＦ  ＤＬ  ＲＳの送信に用いられるリソースとの対応付けを示す情報が含まれる。
【０１２９】
次いで、ＵＥ２００は、受信した設定情報に基づいてリソース設定を行う（ステップＳ１０６）。例えば、ＵＥ２００は、設定情報に基づいてリソースにＢＱＩを対応付ける設定を行う。
【０１３０】
次に、ソースｅＮＢ１００Ａ及びターゲットｅＮＢ１００Ｂの各々は、ＢＦ  ＤＬ  ＲＳをＵＥ２００に送信する（ステップＳ１０８、Ｓ１１０）。その際、ソースｅＮＢ１００Ａ及びターゲットｅＮＢ１００Ｂの各々は、ＢＦ  ＤＬ  ＲＳの送信に用いるビームのＢＱＩに対応するリソースを各々用いて、ＢＦ  ＤＬ  ＲＳを送信する。
【０１３１】
そして、ＵＥ２００は、メジャメントレポートトリガの条件判定を行い（ステップＳ１１２）、条件が満たされた場合にＲＳＲＰ及びＢＱＩを含むメジャメントレポートをサービングｅＮＢ１００Ａへ送信する（ステップＳ１１４）。例えば、タイプ１のメジャメントレポートトリガが採用されている場合が想定される。その場合、ＵＥ２００は、ソースｅＮＢ１００ＡからのＢＦ  ＤＬ  ＲＳのＢＱＩよりも、ターゲットｅＮＢ１００ＢからのＢＦ  ＤＬ  ＲＳのＢＱＩの方が良い場合に、メジャメントレポートを送信する。また、タイプ２のメジャメントレポートトリガが採用されている場合が想定される。その場合、ＵＥ２００は、ソースｅＮＢ１００ＡからのＢＦ  ＤＬ  ＲＳ及びターゲットｅＮＢ１００ＢからのＢＦ  ＤＬ  ＲＳのＲＳＲＰにそれほど大きな差がなく、且つ前者よりも後者の方がＢＱＩが良い場合に、メジャメントレポートを送信する。
【０１３２】
次いで、ｅＮＢ１００は、受信したメジャメントレポートに基づいて、ハンドオーバ決定を行う（ステップＳ１１６）。
【０１３３】
（セル選択処理）
図１９は、本実施形態に係るシステム１において実行されるＲＲＣアイドル状態のＵＥ２００のセル選択処理の流れの一例を示すシーケンス図である。本シーケンスには、ＵＥ２００、ｅＮＢ１００Ａ及びｅＮＢ１００Ｂが関与する。
【０１３４】
図１９に示すように、まず、ＵＥ２００は、ｅＮＢ１００Ａからシステム情報を用いて送信された設定情報を受信する（ステップＳ２０２）。また、ＵＥ２００は、ｅＮＢ１００Ｂからシステム情報を用いて送信された設定情報を受信する（ステップＳ２０４）。これらの設定情報には、例えばビームの品質情報と当該ビームによりビームフォームされるＢＦ  ＤＬ  ＲＳの送信に用いられるリソースとの対応付けを示す情報が含まれる。
【０１３５】
次いで、ＵＥ２００は、受信した設定情報に基づいてリソース設定を行う（ステップＳ２０６）。例えば、ＵＥ２００は、設定情報に基づいてリソースにＢＱＩを対応付ける設定を行う。
【０１３６】
次に、ｅＮＢ１００Ａ及びｅＮＢ１００Ｂの各々は、ＢＦ  ＤＬ  ＲＳをＵＥ２００に送信する（ステップＳ２０８、Ｓ２１０）。その際、ｅＮＢ１００Ａ及びｅＮＢ１００Ｂの各々は、ＢＦ  ＤＬ  ＲＳの送信に用いるビームのＢＱＩに対応するリソースを各々用いて、ＢＦ  ＤＬ  ＲＳを送信する。
【０１３７】
そして、ＵＥ２００は、セル選択を行う（ステップＳ２１２）。例えば、ＵＥ２００は、上記表２に示した評価指標に従って、接続候補のｅＮＢ１００を選択する。例えば、ＵＥ２００は、ｅＮＢ１００ＡからのＢＦ  ＤＬ  ＲＳ及びｅＮＢ１００ＢからのＢＦ  ＤＬ  ＲＳのＲＳＲＰが共に所定範囲内である場合に、ＢＱＩがより良いＢＦ  ＤＬ  ＲＳの送信元のｅＮＢを、接続候補として選択する。また、ＵＥ２００は、それ以外の場合に、ＲＳＲＰがより高いＢＦ  ＤＬ  ＲＳの送信元のｅＮＢ１００を、接続候補として選択する。
【０１３８】
例えば、接続候補としてｅＮＢ１００Ａが選択された場合、ＵＥ２００は、ｅＮＢ１００Ａとの間でランダムアクセス手続きを行う（ステップＳ２１４）。一方で、接続候補としてｅＮＢ１００Ｂが選択された場合、ＵＥ２００は、ｅＮＢ１００Ｂとの間でランダムアクセス手続きを行う（ステップＳ２１６）。
【０１３９】
＜＜５．第２の実施形態＞＞
本実施形態は、ｅＮＢ１００の規模に応じてＢＱＩの評価指標を変化させる形態である。
【０１４０】
＜５．１．技術的課題＞
まず、図２０及び図２１を参照して、本実施形態に係る技術的課題を説明する。
【０１４１】
図２０は、本実施形態に係る技術的課題を説明するための図である。図２０に示すように、マクロセルｅＮＢのセルカバレッジ内にスモールセルｅＮＢが配置されるケースが想定される。マクロセルｅＮＢは、スモールセルｅＮＢよりも高い位置にアンテナが配置され、スモールセルｅＮＢよりも大電力で信号を送信する傾向がある。図２０に示す例では、マクロセルｅＮＢは、エリア６０Ａ〜６０Ｌの広い範囲宛てにビームを提供している。また、スモールセルｅＮＢは、エリア６０Ｆ〜６０Ｌの狭い範囲宛てにビームを提供している。
【０１４２】
ＬＴＥにおいては、マクロセルｅＮＢとスモールセルｅＮＢとが混在する環境下で、ＵＥが、スモールセルｅＮＢの近くであっても大電力のマクロセルｅＮＢを接続候補として選択してしまうことを回避するための評価指標が採用されていた。例えば、スモールセルｅＮＢからの受信電力にアドバンテージを持たせた上で受信電力を比較するといった評価指標が採用されていた。つまり、ＵＥは、スモールセルからのリファレンス信号の受信電力にオフセット値を加えた上で、マクロセルからのリファレンス信号の受信電力と比較して、接続候補を選択していた。これにより、ＵＥが、マクロセルｅＮＢばかりを選択するという誤動作が防止されていた。
【０１４３】
ここで、第１の実施形態のようにビームが提供される環境下においては、ビームの効果によりマクロセルｅＮＢ１００ＡとスモールセルｅＮＢ１００Ｂとの間のリファレンス信号の送信電力差は小さくなる。そのため、接続候補を選択する際に、マクロセルｅＮＢ１００ＡとスモールセルｅＮＢ１００ＢとをＢＱＩに基づいて比較することが多くなると考えらえる。この点について、図２１を参照して詳しく説明する。
【０１４４】
図２１は、本実施形態に係る技術的課題を説明するための図である。図２１に示す例では、マクロセルｅＮＢ１００Ａ及びスモールセルｅＮＢ１００Ｂの各々は、エリア６０Ａ〜６０Ｄ宛てにビームを提供している。第１の実施形態において説明したように、双方から送信されるＢＦ  ＤＬ  ＲＳの受信電力の差が少ない場合、ＢＱＩに基づいて接続候補が選択される。例えば、エリア６０Ａ宛てのビームを用いて送信されるＢＦ  ＤＬ  ＲＳに関して言えば、マクロセルｅＮＢ１００ＡからのＢＦ  ＤＬ  ＲＳの方が、スモールセルｅＮＢ１００ＢからのＢＦ  ＤＬ  ＲＳよりも、ＢＱＩが良いと考えられる。エリア６０Ａは、よりマクロセルｅＮＢ１００Ａに近いため、マクロセルｅＮＢ１００Ａから鉛直方向に近いビームが提供されるためである。そのため、ＵＥ２００は、マクロセルｅＮＢ１００Ａを接続候補として選択することとなる。
【０１４５】
しかし、システム全体のスループットを考慮すれば、ＵＥ２００がマクロセルｅＮＢ１００ＡよりもスモールセルｅＮＢ１００Ｂを接続候補として選択しやすくなることが望ましい。なぜならば、マクロセルｅＮＢ１００Ａからダウンリンクデータを送信するよりも、複数のスモールセルｅＮＢ１００Ｂから分散してダウンリンクデータを送信する方が、セルスプリットゲイン（Cell  Split  Gain）が得られてシステム全体のスループットが向上するためである。そこで、図２１に示した例において、エリア６０Ａに位置するＵＥ２００が、スモールセルｅＮＢ１００Ｂを接続候補として選択可能な仕組みが提供されることが望ましい。
【０１４６】
＜５．２．技術的特徴＞
ＵＥ２００（例えば、通信制御部２４３）は、セルの規模が同等のｅＮＢ１００間でのみ、ビームの品質情報に基づいて接続候補の基地局を選択してもよい。例えば、ＵＥ２００は、複数のスモールセルｅＮＢ１００の中から接続候補を選択する場合に、上記第１の実施形態において表２又は表３を参照して説明したように、ＢＱＩに基づいて接続候補のｅＮＢ１００を選択する。
【０１４７】
一方で、ＵＥ２００は、セルの規模が同等でないｅＮＢ１００間では、セルの規模がより小さいｅＮＢ１００にアドバンテージを持たせて受信電力を比較することで、接続候補の基地局を選択する。例えば、ＵＥ２００は、スモールセルｅＮＢ１００とマクロセルｅＮＢ１００とから接続候補を選択する場合、上述したＬＴＥにおける評価指標を採用する。
【０１４８】
このような仕組みにより、ＵＥ２００は、マクロセルｅＮＢ１００の近くに位置していても、スモールセルｅＮＢ１００を接続候補として選択することが可能となる。なお、ここではセルの一例としてスモールセルとマクロセルとについて述べたが、他にもフェムトセル及びムービングセル等もセルの一例として考えられる。また、セルの規模が同等であることは、接続候補としての優先度が同等であること、と捉えられてもよい。
【０１４９】
以下では、図２２を参照して、上記説明したＵＥ２００による接続候補の選択処理の流れの一例を説明する。図２２は、本実施形態に係るＵＥ２００において実行される接続候補の選択処理の流れの一例を示すフローチャートである。
【０１５０】
図２２に示すように、まず、ＵＥ２００は、比較する２つのｅＮＢ１００はセルの規模が同等かどうかを判定する（ステップＳ３０２）。例えば、まず、ＵＥ２００は、受信したＢＦ  ＤＬ  ＲＳの符号系列に基づいて、又は受信したシステム情報に基づいて、ＢＦ  ＤＬ  ＲＳの送信元のｅＮＢ１００がマクロセルｅＮＢであるかスモールセルｅＮＢであるかを識別する。そして、ＵＥ２００は、受信した複数のＢＦ  ＤＬ  ＲＳの送信元のｅＮＢ１００の規模を、識別結果に基づいて比較する。
【０１５１】
規模が同等であると判定された場合（ステップＳ３０２／ＹＥＳ）、ＵＥ２００は、ＢＱＩを考慮して接続候補のｅＮＢ１００を選択する。例えば、ＵＥ２００は、表２に示した評価指標を用いてセル選択を行い、又は表３に示したメジャメントレポートトリガに基づいてメジャメントレポートを送信する。
【０１５２】
一方で、規模が同等でないと判定された場合（ステップＳ３０２／ＮＯ）、ＵＥ２００は、ＢＱＩを考慮せずに接続候補のｅＮＢ１００を選択する。例えば、ＵＥ２００は、ＬＴＥの評価指標を採用して、よりセルの規模が小さいｅＮＢ１００にアドバンテージを持たせた上での受信電力の比較結果に基づいて、接続候補のｅＮＢ１００を選択する。
【０１５３】
＜＜６．応用例＞＞
本開示に係る技術は、様々な製品へ応用可能である。例えば、基地局１００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局１００は、ＮｏｄｅＢ又はＢＴＳ（Base  Transceiver  Station）などの他の種類の基地局として実現されてもよい。基地局１００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局１００として動作してもよい。
【０１５４】
また、例えば、端末装置２００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置２００は、Ｍ２Ｍ（Machine  To  Machine）通信を行う端末（ＭＴＣ（Machine  Type  Communication）端末ともいう）として実現されてもよい。さらに、端末装置２００は、これら端末に搭載される無線通信モジュール（例えば、１つのダイで構成される集積回路モジュール）であってもよい。
【０１５５】
＜６．１．基地局に関する応用例＞
（第１の応用例）
図２３は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０１５６】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図２３に示したように複数のアンテナ８１０を有し、複数のアンテナ８１０は、例えばｅＮＢ８００が使用する複数の周波数帯域にそれぞれ対応してもよい。なお、図２３にはｅＮＢ８００が複数のアンテナ８１０を有する例を示したが、ｅＮＢ８００は単一のアンテナ８１０を有してもよい。
【０１５７】
基地局装置８２０は、コントローラ８２１、メモリ８２２、ネットワークインタフェース８２３及び無線通信インタフェース８２５を備える。
【０１５８】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０１５９】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０１６０】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０１６１】
無線通信インタフェース８２５は、図２３に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図２３に示したように複数のＲＦ回路８２７を含み、複数のＲＦ回路８２７は、例えば複数のアンテナ素子にそれぞれ対応してもよい。なお、図２３には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０１６２】
図２３に示したｅＮＢ８００において、図９を参照して説明した制御部１５０に含まれる１つ以上の構成要素（設定部１５１及び／又は通信制御部１５３）は、無線通信インタフェース８２５において実装されてもよい。あるいは、これらの構成要素の少なくとも一部は、コントローラ８２１において実装されてもよい。一例として、ｅＮＢ８００は、無線通信インタフェース８２５の一部（例えば、ＢＢプロセッサ８２６）若しくは全部、及び／又はコントローラ８２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８００にインストールされ、無線通信インタフェース８２５（例えば、ＢＢプロセッサ８２６）及び／又はコントローラ８２１が当該プログラムを実行してもよい。以上のように、上記１つ以上の構成要素を備える装置としてｅＮＢ８００、基地局装置８２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１６３】
また、図２３に示したｅＮＢ８００において、図９を参照して説明した無線通信部１２０は、無線通信インタフェース８２５（例えば、ＲＦ回路８２７）において実装されてもよい。また、アンテナ部１１０は、アンテナ８１０において実装されてもよい。また、ネットワーク通信部１３０は、コントローラ８２１及び／又はネットワークインタフェース８２３において実装されてもよい。また、記憶部１４０は、メモリ８２２において実装されてもよい。
【０１６４】
（第２の応用例）
図２４は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０１６５】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図２４に示したように複数のアンテナ８４０を有し、複数のアンテナ８４０は、例えばｅＮＢ８３０が使用する複数の周波数帯域にそれぞれ対応してもよい。なお、図２４にはｅＮＢ８３０が複数のアンテナ８４０を有する例を示したが、ｅＮＢ８３０は単一のアンテナ８４０を有してもよい。
【０１６６】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図２３を参照して説明したコントローラ８２１、メモリ８２２及びネットワークインタフェース８２３と同様のものである。
【０１６７】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図２３を参照して説明したＢＢプロセッサ８２６と同様のものである。無線通信インタフェース８５５は、図２４に示したように複数のＢＢプロセッサ８５６を含み、複数のＢＢプロセッサ８５６は、例えばｅＮＢ８３０が使用する複数の周波数帯域にそれぞれ対応してもよい。なお、図２４には無線通信インタフェース８５５が複数のＢＢプロセッサ８５６を含む例を示したが、無線通信インタフェース８５５は単一のＢＢプロセッサ８５６を含んでもよい。
【０１６８】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０１６９】
また、ＲＲＨ８６０は、接続インタフェース８６１及び無線通信インタフェース８６３を備える。
【０１７０】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０１７１】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図２４に示したように複数のＲＦ回路８６４を含み、複数のＲＦ回路８６４は、例えば複数のアンテナ素子にそれぞれ対応してもよい。なお、図２４には無線通信インタフェース８６３が複数のＲＦ回路８６４を含む例を示したが、無線通信インタフェース８６３は単一のＲＦ回路８６４を含んでもよい。
【０１７２】
図２４に示したｅＮＢ８３０において、図９を参照して説明した制御部に含まれる１つ以上の構成要素（設定部１５１及び／又は通信制御部１５３）は、無線通信インタフェース８５５及び／又は無線通信インタフェース８６３において実装されてもよい。あるいは、これらの構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又はコントローラ８５１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８３０にインストールされ、無線通信インタフェース８５５（例えば、ＢＢプロセッサ８５６）及び／又はコントローラ８５１が当該プログラムを実行してもよい。以上のように、上記１つ以上の構成要素を備える装置としてｅＮＢ８３０、基地局装置８５０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１７３】
また、図２４に示したｅＮＢ８３０において、例えば、図９を参照して説明した無線通信部１２０は、無線通信インタフェース８６３（例えば、ＲＦ回路８６４）において実装されてもよい。また、アンテナ部１１０は、アンテナ８４０において実装されてもよい。また、ネットワーク通信部１３０は、コントローラ８５１及び／又はネットワークインタフェース８５３において実装されてもよい。また、記憶部１４０は、メモリ８５２において実装されてもよい。
【０１７４】
＜６．２．端末装置に関する応用例＞
（第１の応用例）
図２５は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０１７５】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０１７６】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０１７７】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図２５に示したように複数のＢＢプロセッサ９１３及び複数のＲＦ回路９１４を含んでもよい。なお、図２５には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０１７８】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０１７９】
アンテナスイッチ９１５の各々は、無線通信インタフェース９１２に含まれる複数の回路（例えば、異なる無線通信方式のための回路）の間でアンテナ９１６の接続先を切り替える。
【０１８０】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図２５に示したように複数のアンテナ９１６を有してもよい。なお、図２５にはスマートフォン９００が複数のアンテナ９１６を有する例を示したが、スマートフォン９００は単一のアンテナ９１６を有してもよい。
【０１８１】
さらに、スマートフォン９００は、無線通信方式ごとにアンテナ９１６を備えてもよい。その場合に、アンテナスイッチ９１５は、スマートフォン９００の構成から省略されてもよい。
【０１８２】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図２５に示したスマートフォン９００の各ブロックへ電力を供給する。補助コントローラ９１９は、例えば、スリープモードにおいて、スマートフォン９００の必要最低限の機能を動作させる。
【０１８３】
図２５に示したスマートフォン９００において、図１０を参照して説明した制御部２４０に含まれる１つ以上の構成要素（設定部２４１及び／又は通信制御部２４３）は、無線通信インタフェース９１２において実装されてもよい。あるいは、これらの構成要素の少なくとも一部は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、上記１つ以上の構成要素を備える装置としてスマートフォン９００又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１８４】
また、図２５に示したスマートフォン９００において、例えば、図１０を参照して説明した無線通信部２２０は、無線通信インタフェース９１２（例えば、ＲＦ回路９１４）において実装されてもよい。また、アンテナ部２１０は、アンテナ９１６において実装されてもよい。また、記憶部２３０は、メモリ９０２において実装されてもよい。
【０１８５】
（第２の応用例）
図２６は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０１８６】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０１８７】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０１８８】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０１８９】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図２６に示したように複数のＢＢプロセッサ９３４及び複数のＲＦ回路９３５を含んでもよい。なお、図２６には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０１９０】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０１９１】
アンテナスイッチ９３６の各々は、無線通信インタフェース９３３に含まれる複数の回路（例えば、異なる無線通信方式のための回路）の間でアンテナ９３７の接続先を切り替える。
【０１９２】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図２６に示したように複数のアンテナ９３７を有してもよい。なお、図２６にはカーナビゲーション装置９２０が複数のアンテナ９３７を有する例を示したが、カーナビゲーション装置９２０は単一のアンテナ９３７を有してもよい。
【０１９３】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０１９４】
バッテリー９３８は、図中に破線で部分的に示した給電ラインを介して、図２６に示したカーナビゲーション装置９２０の各ブロックへ電力を供給する。また、バッテリー９３８は、車両側から給電される電力を蓄積する。
【０１９５】
図２６に示したカーナビゲーション装置９２０において、図１０を参照して説明した制御部２４０に含まれる１つ以上の構成要素（設定部２４１及び／又は通信制御部２４３）は、無線通信インタフェース９３３において実装されてもよい。あるいは、これらの構成要素の少なくとも一部は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、上記１つ以上の構成要素を備える装置としてカーナビゲーション装置９２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１９６】
また、図２６に示したカーナビゲーション装置９２０において、例えば、図１０を参照して説明した無線通信部２２０は、無線通信インタフェース９３３（例えば、ＲＦ回路９３５）において実装されてもよい。また、アンテナ部２１０は、アンテナ９３７において実装されてもよい。また、記憶部２３０は、メモリ９２２において実装されてもよい。
【０１９７】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。車両側モジュール９４２は、車速、エンジン回転数又は故障情報などの車両側データを生成し、生成したデータを車載ネットワーク９４１へ出力する。
【０１９８】
＜＜７．まとめ＞＞
以上、図１〜図２６を参照して、本開示の一実施形態について詳細に説明した。上記説明したように、本実施形態に係るＵＥ２００は、ビームを形成して通信するｅＮＢ１００からビームを用いて送信されたダウンリンク信号を受信することによって、ダウンリンク信号の送信に用いられたビームの方向に関する品質を示す品質情報を取得する。例えば、ＵＥ２００は、ダウンリンク信号の制御領域から品質情報を取得する、又はダウンリンク信号の受信に用いたリソースに対応する品質情報を、ダウンリンク信号の送信に用いられたビームの品質情報として取得する。これにより、ビームトラッキングが提供される環境下において、ＵＥ２００は、ｅＮＢ１００から受信したダウンリンク信号の送信に用いられたビームの品質を評価することが可能となる。よって、例えば、サービングｅＮＢ１００が指向性の鋭いビームをＵＥの移動に応じて追従させる環境下において、ＵＥ２００は、良好なダウンリンクの品質が提供されていてもＢＱＩが悪い場合、より適切なｅＮＢ１００へのハンドオーバ又はセル選択を行うことが可能となる。これにより、隣接セルへの干渉及び隣接セルからの干渉を抑制することが可能となる。
【０１９９】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０２００】
また、本明細書においてフローチャート及びシーケンス図を用いて説明した処理は、必ずしも図示された順序で実行されなくてもよい。いくつかの処理ステップは、並列的に実行されてもよい。また、追加的な処理ステップが採用されてもよく、一部の処理ステップが省略されてもよい。
【０２０１】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０２０２】
なお、以下のような構成も本開示の技術的範囲に属する。
（１）
ビームを形成して通信する基地局と通信する通信部と、
前記基地局からビームを用いて送信されたダウンリンク信号を受信することによって、前記ダウンリンク信号の送信に用いられたビームの方向に関する品質を示す品質情報を取得する制御部と、
を備える端末装置。
（２）
前記ダウンリンク信号は、リファレンス信号である、前記（１）に記載の端末装置。
（３）
前記制御部は、ビームの前記品質情報とリソースとを対応付けた設定情報に基づいて、前記リファレンス信号の受信に用いたリソースに対応する前記品質情報を、前記リファレンス信号の送信に用いられたビームの前記品質情報として取得する、前記（２）に記載の端末装置。
（４）
前記制御部は、前記品質情報に基づいて接続候補の基地局を選択する、前記（２）又は（３）に記載の端末装置。
（５）
前記制御部は、前記リファレンス信号の受信電力を示す情報の差分が閾値未満である複数の基地局を対象として、前記品質情報に基づいて接続候補の基地局を選択する、前記（４）に記載の端末装置。
（６）
前記制御部は、前記品質情報に関するメジャメントレポートトリガに基づいてメジャメントレポートを送信し、
前記メジャメントレポートトリガは、接続中の基地局より前記品質情報が良い接続候補の基地局が存在することである、前記（４）に記載の端末装置。
（７）
前記制御部は、前記品質情報に関するメジャメントレポートトリガに基づいてメジャメントレポートを送信し、
前記メジャメントレポートトリガは、接続中の基地局との前記リファレンス信号の受信電力を示す情報の差分が閾値未満であり、前記接続中の基地局より前記品質情報が良い接続候補の基地局が存在することである、前記（５）に記載の端末装置。
（８）
前記メジャメントレポートは、接続中の基地局及び接続候補の基地局の前記品質情報を含む、前記（６）又は（７）に記載の端末装置。
（９）
前記制御部は、セルの規模が同等の基地局間でのみ、前記品質情報に基づいて接続候補の基地局を選択する、前記（４）〜（８）のいずれか一項に記載の端末装置。
（１０）
ビームを形成して端末装置と通信する通信部と、
ビームの方向に関する品質を示す品質情報を前記端末装置に取得させるための設定情報、及び前記品質情報を前記端末装置に通知する制御部と、
を備える基地局。
（１１）
前記制御部は、ビームを用いて且つ当該ビームの前記品質情報に対応付けられたリソースを用いてリファレンス信号を送信することで、前記品質情報を前記端末装置に通知する、前記（１０）に記載の基地局。
（１２）
前記設定情報は、前記品質情報に対応するリソースを示す情報を含む、前記（１１）に記載の基地局。
（１３）
前記リファレンス信号の送信に用いられるリソースは、異なる品質情報が対応付けられたリソース同士で直交する、前記（１１）又は（１２）に記載の基地局。
（１４）
前記制御部は、前記端末装置が受信した前記リファレンス信号の前記品質情報を含むメジャメントレポートに基づいて、前記端末装置に関するハンドオーバ決定を行う、前記（１１）〜（１３）のいずれか一項に記載の基地局。
（１５）
前記品質情報は、ビームの方向と基準方向とが成す角度に応じて設定される、前記（１０）〜（１４）のいずれか一項に記載の基地局。
（１６）
前記品質情報は、ビームがセルエッジに向く度合いに応じて設定される、前記（１０）〜（１５）のいずれか一項に記載の基地局。
（１７）
ビームを形成して通信する基地局と通信することと、
前記基地局からビームを用いて送信されたダウンリンク信号を受信することによって、前記ダウンリンク信号の送信に用いられたビームの方向に関する品質を示す品質情報をプロセッサにより取得することと、
を含む方法。
（１８）
ビームを形成して端末装置と通信することと、
ビームの方向に関する品質を示す品質情報を前記端末装置に取得させるための設定情報、及び前記品質情報をプロセッサにより前記端末装置に通知することと、
を含む方法。
（１９）
コンピュータを、
ビームを形成して通信する基地局と通信する通信部と、
前記基地局からビームを用いて送信されたダウンリンク信号を受信することによって、前記ダウンリンク信号の送信に用いられたビームの方向に関する品質を示す品質情報を取得する制御部と、
として機能させるためのプログラムを記録した記録媒体。
（２０）
コンピュータを、
ビームを形成して端末装置と通信する通信部と、
ビームの方向に関する品質を示す品質情報を前記端末装置に取得させるための設定情報、及び前記品質情報を前記端末装置に通知する制御部と、
として機能させるためのプログラムを記録した記録媒体。
【符号の説明】
【０２０３】
１      システム
１００  基地局
１１０  アンテナ部
１２０  無線通信部
１３０  ネットワーク通信部
１４０  記憶部
１５０  制御部
１５１  設定部
１５３  通信制御部
２００  端末装置
２１０  アンテナ部
２２０  無線通信部
２３０  記憶部
２４０  制御部
２４１  設定部
２４３  通信制御部
【図１】
2018019345.tif 000006
【図２】
2018019345.tif 000007
【図３】
2018019345.tif 000008
【図４】
2018019345.tif 000009
【図５】
2018019345.tif 000010
【図６】
2018019345.tif 000011
【図７】
2018019345.tif 000012
【図８】
2018019345.tif 000013
【図９】
2018019345.tif 000014
【図１０】
2018019345.tif 000015
【図１１】
2018019345.tif 000016
【図１２】
2018019345.tif 000017
【図１３】
2018019345.tif 000018
【図１４】
2018019345.tif 000019
【図１５】
2018019345.tif 000020
【図１６】
2018019345.tif 000021
【図１７】
2018019345.tif 000022
【図１８】
2018019345.tif 000023
【図１９】
2018019345.tif 000024
【図２０】
2018019345.tif 000025
【図２１】
2018019345.tif 000026
【図２２】
2018019345.tif 000027
【図２３】
2018019345.tif 000028
【図２４】
2018019345.tif 000029
【図２５】
2018019345.tif 000030
【図２６】
2018019345.tif 000031